(57)【要約】【課題】通電差込口に異物が差し込まれた場合の感電事故を防止可能とするコンセントの安全保護装置を提供する。【解決手段】コの字形状の弾性ユニット３２は、連結部３４および二つの弾性部３６を有し、キャップ１２とシート１４からなるハウジング１０の内側面に設けられる。ハウジング１０内で、第二断ユニット５０の第二ストッパ６０が第一遮断ユニット３８の開口４２に装着され、第一遮断ユニット３８の第一ストッパ４４と第二遮断ユニット５０の第一ストッパ５６とが同じ高さに位置する。第一遮断ユニット３８および第二遮断ユニット５０のそれぞれの第一ストッパ４４、５６の側面は、弾性ユニット３２の弾性部３６で同じ方向から押される。第一遮断ユニット３８と第二遮断ユニット５０とは、互いに水平方向へ移動可能であり、キャップ１２の通電差込口１６、１８間および電源電極に通じるシート１４の孔２２、２４間を各ストッパで遮断する。【選択図】図１
2010113828.tif 000002
【特許請求の範囲】
【請求項１】
二つの通電差込口を有するハウジングと、
前記ハウジング内に配置され、第一ストッパおよび第二ストッパを有する第一遮断ユニットと、
前記ハウジング内に配置され、第一ストッパおよび第二ストッパを有する第二遮断ユニットと、
前記第一遮断ユニットおよび前記第二遮断ユニットにおいて作動し、前記第一遮断ユニットおよび前記第二遮断ユニットを前記二つの通電差込口の差込方向内部に位置させる弾性ユニットと、を備え、
前記第一遮断ユニットの第一ストッパおよび前記第二遮断ユニットの第二ストッパは一つの通電差込口の差込方向内部に位置付けられ、前記第一遮断ユニットの第二ストッパおよび前記第二遮断ユニットの第一ストッパは別の一つの通電差込口の差込方向内部に位置付けられ、かつ、前記第一遮断ユニットおよび前記第二遮断ユニットを移動させることによって二つの第一ストッパおよび二つの第二ストッパを前記二つの通電差込口からそれぞれ分離させることが可能であることを特徴とするコンセントの安全保護装置。
【請求項２】
前記第一遮断ユニットは、開口を有し、当該開口の一側にその第一ストッパが配置され、他側にその第二ストッパが配置されることを特徴とする請求項１に記載のコンセントの安全保護装置。
【請求項３】
前記第一遮断ユニットの第一ストッパは、第二ストッパより高く突出し、駆動面を有することを特徴とする請求項２に記載のコンセントの安全保護装置。
【請求項４】
前記第二遮断ユニットの第二ストッパは、前記第一遮断ユニットの開口に装着され、かつ当該開口に沿って移動可能であることを特徴とする請求項２に記載のコンセントの安全保護装置。
【請求項５】
前記第一遮断ユニットの第二ストッパと前記第二遮断ユニットの第二ストッパとは、同じ高さに位置付けられることを特徴とする請求項４に記載のコンセントの安全保護装置。
【請求項６】
前記弾性ユニットは、連結部および当該連結部の両端に位置する二つの弾性部を有し、前記連結部は前記ハウジング内に固定され、前記二つの弾性部は前記第一遮断ユニットおよび前記第二遮断ユニットの第一ストッパに対し別々に作動することを特徴とする請求項１に記載のコンセントの安全保護装置。
【請求項７】
前記第一遮断ユニットの第一ストッパは、前記第二遮断ユニットの第二ストッパに対して差込方向における通電差込口に近い方向に位置付けられ、前記第二遮断ユニットの第一ストッパは、前記第一遮断ユニットの第二ストッパに対して差込方向における通電差込口に近い方向に位置付けられることを特徴とする請求項１に記載のコンセントの安全保護装置。
【請求項８】
前記第一遮断ユニットの第一ストッパおよび前記第二遮断ユニットの第一ストッパは、それぞれが駆動面を有することを特徴とする請求項１に記載のコンセントの安全保護装置。
【請求項９】
前記第一遮断ユニットは開口を有し、前記第二遮断ユニットは開口を有し、前記ハウジングは当該第一遮断ユニットおよび第二遮断ユニットの開口に差し込まれる固定板を有し、前記弾性ユニットは前記第一遮断ユニットおよび前記第二遮断ユニットを押し、前記両開口の辺縁を前記固定板に突き当たらせることを特徴とする請求項１に記載のコンセントの安全保護装置。
【請求項１０】
前記ハウジングは固定板を有し、前記第一遮断ユニットおよび前記第二遮断ユニットは前記弾性ユニットによって押され、前記固定板に突き当たることを特徴とする請求項１に記載のコンセントの安全保護装置。
【発明の詳細な説明】
【技術分野】
【０００１】
本発明は、コンセントの安全保護装置に関するものである。
【背景技術】
【０００２】
日常生活にはプラグとコンセントを使用するのはごく普通なことである。一般に、コンセントは絶縁材の本体を有し、表に二つまたは三つの通電差込口を有し、通電差込口は内部に電極を有する。プラグは二つまたは三つの端子を有し、端子はコンセントの通電差込口に差し込まれ、その内部の電極に接触する。
【０００３】
家庭内での不慮の事故の中には、児童が導電体などの異物をコンセントの通電差込口に差し込んで感電を引き起こすような事故がよくある。このような不慮の感電事故を防止するには、市販の保護用キャップを購入し、コンセントに差し込んで通電差込口を遮蔽することが一番よく採用されている対策方法であるが、児童が保護用キャップの引き抜きの仕方を覚えると、このよう保護用キャップでは予防効果を失ってしまう。また市販の多くの安全保護機能付きコンセントはストッパによって通電差込口を閉じるものであるが、同じように児童がストッパの解除の仕方を覚えると予防効果を失ってしまう。
【発明の開示】
【発明が解決しようとする課題】
【０００４】
本発明の主な目的は、コンセントの通電差込口に異物を差し込むことによる不慮の感電事故を未然に防ぐことを可能とするコンセントの安全保護装置を提供することである。
【課題を解決するための手段】
【０００５】
上述の目的を達成するための、本発明によるコンセントの安全保護装置は、ハウジング、第一遮断ユニット、第二遮断ユニットおよび弾性ユニットを備える。ハウジングは、二つの通電差込口を有する。第一遮断ユニットは、ハウジング内に配置され、第一ストッパおよび第二ストッパを有する。第二遮断ユニットは、ハウジング内に配置され、第一ストッパおよび第二ストッパを有する。第一遮断ユニットの第一ストッパおよび第二遮断ユニットの第二ストッパは一の通電差込口の下方に位置付けられ、第一遮断ユニットの第二ストッパおよび第二遮断ユニットの第一ストッパは他の通電差込口の下方に位置付けられる。弾性ユニットは、第一遮断ユニットと第二遮断ユニットとの間で作動する。一つの通電差込口に異物を差し込むと、一方の遮断ユニットのストッパのみが移動し、他方の遮断ユニットのストッパは動かないように維持されるため、危険を避けることが可能となる。
【発明を実施するための最良の形態】
【０００６】
（一実施形態）
図１から図３に示すように、本発明の一実施形態によるコンセントの安全保護装置は、ハウジング１０、第一遮断ユニット３８、第二遮断ユニット５０および弾性ユニット３２から構成される。なお、図１では、ハウジング１０の一部について切り欠き断面を図示している。
【０００７】
ハウジング１０は、キャップ１２およびシート１４から構成される。キャップ１２は頂面に二つの通電差込口１６、１８を有する箱状の部材である。キャップ１２は内側面に差込スロット２０を有する。シート１４はキャップ１２と結合し、キャップ１２の下方の開口を閉鎖する板片である。シート１４はキャップ１２の通電差込口１６、１８に対応する二つの孔２２、２４を有する。図４に示すように、シート１４の孔２２、２４の差込方向下方に電源電極２６、２８が配置される。図３に示すように、キャップ１２は、頂面の内側面に、二つの通電差込口１６、１８のそれぞれの一辺から差込方向内部へ延びた、二つの固定板３０を有する。
【０００８】
弾性ユニット３２は、コの字形状を呈し、連結部３４および当該連結部３４の両端に位置する二つの弾性部３６を有する。連結部３４はキャップ１２の内側の差込スロット２０に差し込まれるため、二つの弾性部３６は宙吊りになり、ハウジング１０内に位置付けられる。
【０００９】
第一遮断ユニット３８は、開口４２を形成する板片４０を有する。図１において、開口４２の左側に直立状の第一ストッパ４４を有し、右側に平板状の第二ストッパ４８を有する。第一ストッパ４４は図１における左側に駆動面４６を有する。言い換えれば、水平方向において第一ストッパ４４と第二ストッパ４８とは第一遮断ユニット３８の両側に位置付けられ、垂直方向において第一ストッパ４４の位置は第二ストッパ４８より高い。
【００１０】
第二遮断ユニット５０は、開口５４を形成する板片５２を有する。図１において、開口５４の右側に直立状の第一ストッパ５６を有し、左側に平板状の第二ストッパ６０を有する。第一ストッパ５６は図１における左側に駆動面５８を有する。第二ストッパ６０の垂直方向における位置は板片５２より低い。同様に、水平方向において第一ストッパ５６と第二ストッパ６０とは第二遮断ユニット５０の両側に位置付けられ、垂直方向において第一ストッパ５６の位置は第二ストッパ６０より高い。
【００１１】
図３に示すように、第二遮断ユニット５０の第二ストッパ６０は第一遮断ユニット３８の開口４２に装着されるため、第一遮断ユニット３８と第二遮断ユニット５０とが結合し、互いに水平方向に移動することが可能となる。このとき、第一遮断ユニット３８の第二ストッパ４８と第二遮断ユニット５０の第二ストッパ６０とは、同じ高さに位置付けられる。第一遮断ユニット３８の第一ストッパ４４と第二遮断ユニット５０の第一ストッパ５６とは、同じ高さに位置付けられる。また垂直方向において第一遮断ユニット３８の第一ストッパ４４は第二遮断ユニット５０の第二ストッパ６０の上方に位置し、第一遮断ユニット３８の第二ストッパ４８は第二遮断ユニット５０の第一ストッパ５６の下方に位置する。
【００１２】
組立が完了すると、第一遮断ユニット３８と第二遮断ユニット５０とは、ハウジング１０内に装着される。弾性ユニット３２の二つの弾性部３６は、第一遮断ユニット３８および第二遮断ユニット５０のそれぞれの第一ストッパ４４、５６の右側面に別々に突き当たる。図３における右側の固定板３０は、第一遮断ユニット３８および第二遮断ユニット５０のそれぞれの開口４２、５４に入り込み、第一遮断ユニット３８の第二ストッパ４８と第二遮断ユニット５０の第一ストッパ５６に突き当たる。第一遮断ユニット３８の第一ストッパ４４と第二遮断ユニット５０の第二ストッパ６０は、図３における左側の固定板３０に突き当たる。このとき、第一遮断ユニット３８の第一ストッパ４４と第二遮断ユニット５０の第二遮断ユニット６０とは、図３において、キャップ１２の左側の通電差込口１６の下方に位置する。また、第二遮断ユニット５０の第一ストッパ５６と第一遮断ユニット３８の第二ストッパ４８とは、図３において、キャップ１２の右側の通電差込口１８の下方に位置する。言い換えれば、通電差込口１６、１８間と電源電極２６、２８間とは、別々に二つのストッパによって遮断される。
【００１３】
図４に示すように、導電体６２を本実施形態によるコンセントの通電差込口１６に差し込むと、第一遮断ユニット３８の駆動面４６が、第一遮断ユニット３８を図４における右方向へ移動させる。このとき、第一遮断ユニット３８の第一ストッパ４４は、図４における左側の通電差込口１６から分離するが、第二遮断ユニット５０の第二ストッパ６０は、依然として通電差込口１６の差込方向内部の位置にとどまる。つまり、第一遮断ユニット３８が動かされたとしても、第二遮断ユニット５０の第二ストッパ６０により、導電体６２が電極２６に接触することを阻止できる。第二遮断ユニット５０の第二ストッパ６０は頂面が平面であるため、誤って手で動かされてしまうことがない。この状態では、図４における右側の通電差込口１８が第二遮断ユニット５０の第一ストッパ５６によって閉じられる。
【００１４】
図５に示すように、導電体６２を本実施形態によるコンセントの通電差込口１８に差し込むと、第二遮断ユニット５０の第一ストッパ５６を移動させても第一遮断ユニット３８の第二ストッパ４８の遮断を解除することができなくなる。
【００１５】
図６に示すように、一般のプラグ６４が通電差込口１６、１８に差し込まれると、プラグ６４の端子６６、６８は第一遮断ユニット３８および第二遮断ユニット５０のそれぞれの駆動面４２、５４において作動し、第一遮断ユニット３８および第二遮断ユニット５０を図６における右方向に移動させる。このとき、第一遮断ユニット３８および第二遮断ユニット５０においては、それぞれの第一ストッパ４４、５６とそれぞれの第二ストッパ４８、６０が通電差込口１６、１８から分離する。よって、プラグ６４の端子６６はシート１４の孔２２、２４に挿通され、電極２６、２８に接触することが可能となる。なお、その際には、第一遮断ユニット３８を移動させた後で、プラグ６４の右側の端子６８が第一遮断ユニット３８の開口４２に挿通される。
【００１６】
上述した実施形態による構成は、本発明の第一遮断ユニットと第二遮断ユニットとを弾性ユニットにて同じ方向へ移動させるものであるが、上記説明した作動原理により、第一遮断ユニットと第二遮断ユニットを弾性ユニットにて互いに反対方向へ移動させるように構成し、両者の第一ストッパを接近または分離させるようにしても、同様の効果が奏される。
上述したとおり、本発明によるコンセントの安全保護装置では、コンセントの通電差込口の差込方向内部に二つのストッパが配置され、そのうちの一つのストッパが動かされても別の一つのストッパが本来の位置に維持されるため、感電の危険を避けることが可能である。
【図面の簡単な説明】
【００１７】
【図１】本発明の一実施形態によるコンセントの安全保護装置を示す分解斜視図である。
【図２】本発明の一実施形態によるコンセントの安全保護装置を示す斜視図である。
【図３】図２のIII−III線に沿った断面図である。
【図４】本発明の一実施形態によるコンセントの安全保護装置において異物が左側の通電差込口に差し込まれた状態を示す断面の模式図である。
【図５】本発明の一実施形態によるコンセントの安全保護装置において異物が右側の通電差込口に差し込まれた状態を示す断面の模式図である。
【図６】本発明の一実施形態によるコンセントの安全保護装置において一般のプラグが差し込まれた状態を示す断面の模式図である。
【符号の説明】
【００１８】
１０：ハウジング、  １２：キャップ、  １４：シート、  １６、１８：通電差込口、  ２０：差込スロット、  ２２、２４：孔、  ２６、２８：電源電極、  ３０：固定板、  ３２：弾性ユニット、  ３４：連結部、  ３６：弾性部、  ３８：第一遮断ユニット、  ４０：板片、  ４２：開口、  ４４：第一ストッパ、  ４６：駆動面、  ４８：第二ストッパ、  ５０：第二遮断ユニット、  ５２：板片、  ５４：開口、  ５６：第一ストッパ、  ５８：駆動面、  ６０：第二ストッパ、  ６２：導電体、  ６４：プラグ、  ６６、６８：端子
【図１】
2010113828.tif 000003
【図２】
2010113828.tif 000004
【図３】
2010113828.tif 000005
【図４】
2010113828.tif 000006
【図５】
2010113828.tif 000007
【図６】
2010113828.tif 000008